(57)【要約】  【課題】  封印シールの切断を難しくし、かつ、封印シールの切断跡の視認性を向上させることによりゴト行為防止を図ることが可能な遊技機を提供する。  【解決手段】  第１部材81と、該第１部材81と組み合わされる第２部材82とを備える遊技機であって、第１部材81と第２部材82とを組み合わせた際には、第１部材81と第２部材82とにまたがったシール貼付平面31が形成され、このシール貼付平面31における第１部材81と第２部材82との継ぎ目32は非直線形状に形成され、このシール貼付平面31には、第１部材81と第２部材82とにまたがって継ぎ目32を覆うように封印シール8を貼る。【選択図】図１
2006087807.tif 000002
【特許請求の範囲】
【請求項１】
第１部材と、該第１部材と組み合わされる第２部材とを備え、
第１部材と第２部材とを組み合わせた際には、第１部材と第２部材とにまたがったシール貼付平面が形成され、
このシール貼付平面における第１部材と第２部材との継ぎ目は非直線形状に形成され、
このシール貼付平面には、第１部材と第２部材とにまたがって継ぎ目を覆うように封印シールが貼られることを特徴とする遊技機。
【請求項２】
基板と、この基板を収納する基板ケースと、この基板ケースが固定される筐体とを備え、
基板ケース及び筐体は、この基板ケースが筐体に固定される際に、基板ケースと筐体とが組み合わされるように形成されており、
基板ケースが筐体に固定された際には、この基板ケースと筐体とにまたがったシール貼付平面が形成され、
このシール貼付平面における基板ケースと筐体との継ぎ目は非直線形状に形成され、
このシール貼付平面には、基板ケースと筐体とにまたがって継ぎ目を覆うように封印シールが貼られることを特徴とする遊技機。
【請求項３】
基板と、この基板を収納する基板ケースとを備え、
前記基板ケースは、ベース部材と、該ベース部材と組み合わされるカバー部材とを備え、
ベース部材とカバー部材とを組み合わせると、ベース部材とカバー部材との間に基板を収納可能な空間が形成され、
ベース部材とカバー部材とを組み合わせた際には、ベース部材とカバー部材とにまたがったシール貼付平面が形成され、
このシール貼付平面におけるベース部材とカバー部材との継ぎ目は非直線形状に形成され、
このシール貼付平面には、ベース部材とカバー部材とにまたがって継ぎ目を覆うように封印シールが貼られることを特徴とする遊技機。
【請求項４】
基板と、この基板を収納する基板ケースとを備え、
前記基板ケースは、ベース部材と、該ベース部材と組み合わされるカバー部材とを備え、
ベース部材とカバー部材とを組み合わせると、ベース部材とカバー部材との間に基板を収納可能な空間が形成され、
前記ベース部材は、その外周縁から外方に向けて突出する第１フランジ部を備え、
前記カバー部材は、その外周縁から外方に向けて突出する第２フランジ部を備え、
前記ベース部材と前記カバー部材とを組み合わせた際に、前記第２フランジ部は前記第１フランジ部と重なり合い、
第１フランジ部又は第２フランジ部のいずれか一方には、他方が収納される凹部が設けられ、
第１フランジ部又は第２フランジ部のいずれか一方を他方に設けた凹部に収納した際には、第１フランジ部と第２フランジ部とにまたがったシール貼付平面が形成され、
このシール貼付平面における第１フランジ部と第２フランジ部との継ぎ目は非直線形状に形成され、
このシール貼付平面には、第１フランジ部と第２フランジ部とにまたがって継ぎ目を覆うように封印シールが貼られることを特徴とする遊技機。
【請求項５】
前記継ぎ目は、複数の凹凸の繰り返しからなる形状であることを特徴とする請求項１、２、３又は４記載の遊技機。
【請求項６】
前記シール貼付平面の外縁部分には、シール貼付平面から盛り上がるように突出する段部が設けられていることを特徴とする請求項１、２、３、４又は５記載の遊技機。
【請求項７】
前記シール貼付平面には、当該シール貼付平面に貼付して剥がした際に、当該シール貼付平面に、文字、図形、記号又はこれらの結合が表示されるように形成された封印シールを貼付したことを特徴とする請求項１、２、３、４、５又は６記載の遊技機。
【請求項８】
前記シール貼付平面には、当該シール貼付平面に貼付して剥がした際に、破断されるように形成された封印シールを貼付したことを特徴とする請求項１、２、３、４、５又は６記載の遊技機。
【請求項９】
前記シール貼付平面には、当該シール貼付平面に貼付して剥がした際に、前記継ぎ目の形状と異なる形状に切断される脆弱な部分を有するように形成された封印シールを貼付したことを特徴とする請求項１、２、３、４、５又は６記載の遊技機。
【発明の詳細な説明】
【技術分野】
【０００１】
本発明は、遊技機に関する。
【背景技術】
【０００２】
パチンコやスロットマシン等の遊技機では、その内部に備えられる各装置の作動やゲーム内容を制御する基板が設けられている。この基板は、メダルや玉の払い出しの制御、大当たりや各ボーナスの抽選などを行う極めて重要な役割を有するものである。したがって、遊技機に備えられた正規の基板が不正な基板に交換されたり、改造されたりすることを確実に防止する必要がある。そのためには、基板を収納する基板ケースを設けて、この中に基板を収納した後、この基板ケースを封印シール等により封印し、さらに、この基板ケースが開放されたときにその開放の痕跡を残すというような技術が考えられている。このような技術としては下記の特許文献１に開示する技術が提供されている。
【０００３】
すなわち、特許文献１には、蓋部と土台部とを備え、これらを組み合わせて形成される主基板ケースが開示されている。そして、これらが組み合わされると、その内部に主制御装置（基板）が密閉される。蓋部と土台部とは、蓋部の蓋周面が土台部の土台周面の内側に入り込み嵌合する形状となっている。そして、これらが嵌合して主基板ケースが形成された際に、主基板ケースの角隅で、蓋部と土台部との継ぎ目を跨ぐように封印シールを貼付する。これにより、蓋部と土台部との封印を解くには、封印シールを継ぎ目に沿って切断する必要があるため、封印シールの切断跡が残る。したがって、蓋部と土台部とが開放されたときにその開放の痕跡が残され、不正開放を容易に確認することができることとなる。
【０００４】
そして、上述のように封印された基板ケースは、遊技機を構成する筐体の内側に取り付けられるが、この基板ケースが筐体から不正に取り外されることを防止する必要もある。基板ケースと筐体とを取り付けた際に、両者の継ぎ目部分にも封印シールを貼付して封印し、この基板ケースが筐体から取り外されたときに、その開放の痕跡を残すというような技術は下記の特許文献２に開示されている。
すなわち、特許文献２では、主基板ケースと取付ベースとを備えており、かつ、主基板ケースには封印シールの一部を貼付できるケース貼付部を備え、さらに取付ベースには封印シールの残りの部分を貼付できるベース貼付部を備える。主基板ケースを、取付ベースに取り付けると、ケース貼付部とベース貼付部とが合致し、封印シールを貼付するシール貼付箇所が構成される。そして、この上に、封印シールを繋ぎ目を覆って貼付することとしている。これにより、主基板ケースと取付ベースとの封印を解くには、封印シールを繋ぎ目に沿って切断する必要があるため、封印シールの切断跡が残る。したがって、基板ケースが取付ベースから取り外されたときに、その開放の痕跡が残され、不正開放を容易に確認することができることとなる。
【特許文献１】特開２００３−２４５４０８号広報
【特許文献２】特開２００３−２１０６６５号公報
【発明の開示】
【発明が解決しようとする課題】
【０００５】
しかし、上述の特許文献１及び特許文献２に開示されている遊技機において、主基板ケースの蓋部と同ケースの土台部との継ぎ目、及び、主基板ケースと取付ベースとの継ぎ目は、いずれも一直線となっている。不正開放を行おうとする、いわゆるゴト師は、カッターナイフ等を用いて、この継ぎ目に沿って封印シールを切断することとなるが、継ぎ目が一直線であると、容易にシールを切断することができてしまうおそれがある。
さらに、カッターナイフ等で丁寧に切断されると切断跡が視認しにくくなってしまうおそれがあり、かつ、上記のように、封印シールを貼る部材同士の継ぎ目が一直線であると、丁寧な切断も容易に行えるおそれがある。
【０００６】
ひいては、このような封印がされた部材を有する遊技機については、封印シールの切断を容易に行うことができ、ケースの不正開放及びケースの不正な取り外しも容易となることから、いわゆるゴト師に狙われやすいというおそれもある。
したがって、上記のような事情により、封印シールの切断がしづらく、ケースが不正開放された場合やケースが不正に取り外された場合に、その痕跡を確認しやすく、ゴト行為を防止することができるような遊技機の提供が望まれている。
そこで、本発明は、上記事情を鑑みてなされたものであり、封印シールの切断を難しくさせ、かつ、封印シールが切断された場合の切断跡の視認性を向上することができ、これにより、ゴト行為防止を図ることが可能な遊技機を提供することを第１の課題とする。
【０００７】
さらに、本発明は、上記第１の課題に加え、ゴト行為をすることが、より一層難しくなるような遊技機を提供することを第２の課題とする。
【課題を解決するための手段】
【０００８】
本発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（第１の発明）
本発明のうち第１の発明は、第１部材81と、該第１部材81と組み合わされる第２部材82とを備える遊技機であって、第１部材81と第２部材82とを組み合わせた際には、第１部材81と第２部材82とにまたがったシール貼付平面31が形成され、このシール貼付平面31における第１部材81と第２部材82との継ぎ目32は非直線形状に形成され、このシール貼付平面31には、第１部材81と第２部材82とにまたがって継ぎ目32を覆うように封印シール8が貼られることを特徴とする。
【０００９】
ここで、遊技機としては、特に限定されるものではなく、パチンコ遊技機やスロットマシンなどが挙げられる。
この遊技機は、第１部材81と、該第１部材81と組み合わされる第２部材82とを備える。この第１部材81及び第２部材82は、遊技機に備えられて、かつ、両者を組み合わせることができれば、特に限定されるものではない。
具体的には、たとえば、遊技機は、筐体52と、基板7を収納する基板ケース1とを備えており、基板ケース1が筐体52に固定される際に、基板ケース1と筐体52とが組み合わされるように形成されている場合には、筐体52又は基板ケース1のいずれか一方が第１部材81に該当し、他方が第２部材82に該当する。
【００１０】
また、上述の基板ケース1は、ベース部材2と、カバー部材3とを備えており、ベース部材2とカバー部材3とが組み合わされることにより、基板ケース1が形成される場合には、ベース部材2又はカバー部材3のいずれか一方が第１部材81に該当し、他方が第２部材82に該当する。
また、上述の、ベース部材2及びカバー部材3であって、ベース部材2又はカバー部材3のいずれか一方に第１フランジ部5を設けるとともに他方に第２フランジ部6を設けており、ベース部材2とカバー部材3とが組み合わされて基板ケース1が形成される際に、第１フランジ部5と第２フランジ部6とが組み合わされるように形成されている場合には、第１フランジ部5又は第２フランジ部6のいずれか一方が第１部材81に該当し、他方が第２部材82に該当する。
【００１１】
また、上述したものに限らず、２つの部材を互いに組み合わせることができる場合には、一方の部材が第１部材81に該当し、他方が第２部材82に該当する。
第１部材81と第２部材82とを組み合わせた際には、第１部材81と第２部材82とにまたがったシール貼付平面31が形成される。換言すれば、第１部材81と第２部材82とが組み合わされると、第１部材81と第２部材82とが一体になることにより、第１部材81と第２部材82とにまたがるシール貼付平面31が形成される。
このシール貼付平面31における第１部材81と第２部材82との継ぎ目32は非直線形状に形成され、このシール貼付平面31には、第１部材81と第２部材82とにまたがって継ぎ目32を覆うように封印シール8が貼られる。
【００１２】
すなわち、第１部材81と第２部材82との継ぎ目32は、単純な直線形状ではなく、曲線や、複数の直線を組み合わせた形状等の非直線形状となっている。この継ぎ目32に沿って、封印シール8を切断するのを困難なものとするためである。また、封印シール8は、切断したことが容易に分かるような、切断跡が残されるようなものを使用するのが望ましい。
（第２の発明）
本発明のうち第２の発明は、基板7と、この基板7を収納する基板ケース1と、この基板ケース1が固定される筐体52とを備える遊技機であって、基板ケース1及び筐体52は、この基板ケース1が筐体52に固定される際に、基板ケース1と筐体52とが組み合わされるように形成されており、基板ケース1が筐体52に固定された際には、この基板ケース1と筐体52とにまたがったシール貼付平面31が形成され、このシール貼付平面31における基板ケース1と筐体52との継ぎ目32は非直線形状に形成され、このシール貼付平面31には、基板ケース1と筐体52とにまたがって継ぎ目32を覆うように封印シール8が貼られることを特徴とする。
【００１３】
ここで、第２の発明における基板ケース1及び筐体52は、第１の発明における第１部材81及び第２部材82に該当するものである。
すなわち、第２の発明に係る遊技機は、第１部材81としての基板ケース1と、この第１部材81としての基板ケース1と組み合わされる筐体52を備え、第１部材81としての基板ケース1と、第２部材82としての筐体52とを組み合わせた際には、第１部材81としての基板ケース1と、第２部材82としての筐体52とにまたがったシール貼付平面31が形成され、このシール貼付平面31における第１部材81としての基板ケース1と、第２部材82としての筐体52との継ぎ目32は非直線形状に形成され、このシール貼付平面31には、第１部材81としての基板ケース1と、第２部材82としての筐体52とにまたがって継ぎ目32を覆うように封印シール8が貼られる。
【００１４】
ここで、この遊技機は、基板7と、この基板7を収納する基板ケース1と、この基板ケース1が固定される筐体52とを備えている。すなわち、基板7は基板ケース1に収納される。また、基板ケース1及び筐体52は、この基板ケース1が筐体52に固定される際に、この基板ケース1と筐体52とが組み合わされるように形成されている。
また、基板ケース1が筐体52に固定される際には、この基板ケース1と筐体52とにまたがったシール貼付平面31が形成される。換言すれば、基板ケース1が筐体52に固定される際には、基板ケース1と筐体52とが組み合わされ、基板ケース1と筐体52とが一体になることにより、基板ケース1と筐体52とにまたがるシール貼付平面31が形成される。
【００１５】
具体的には、たとえば、基板ケース1には、この基板ケース1の、筐体52と接する面の外周縁から外方に向けて突出するケース嵌合部75を設けるとともに、筐体52には、前記ケース嵌合部75を収納する筐体嵌合部76を設けることができる。これにより、基板ケース1を筐体52に固定する際に、基板ケース1と筐体52とが組み合わされ、ケース嵌合部75と筐体嵌合部76とが一体になることで、基板ケース1と筐体52とにまたがるシール貼付平面31が形成される。
また、筐体52には、基板ケース1を筐体52に固定する際にこの筐体52の前記基板ケース1の外周縁と対応する位置から、鉛直に突出する筐体嵌合部76を設けるとともに、基板ケース1の側面には、前記筐体嵌合部76を収納するケース嵌合部75を設けることもできる。これにより、基板ケース1を筐体52に固定する際に、基板ケース1と筐体52とが組み合わされ、ケース嵌合部75と筐体嵌合部76とが一体になることで、基板ケース1と筐体52とにまたがるシール貼付平面31が形成される。
【００１６】
このシール貼付平面31は、基板ケース1と筐体52とにまたがっており、かつ、後述する封印シール8を貼付できるように形成されていればよく、基板ケース1及び筐体52の表面から窪むように形成されていてもよい。
また、このシール貼付平面31における基板ケース1と筐体52との継ぎ目32は非直線形状に形成され、このシール貼付平面31には、基板ケース1と筐体52とにまたがって継ぎ目32を覆うように封印シール8が貼られる。
すなわち、基板ケース1と筐体52との継ぎ目32は、単純な直線形状ではなく、曲線や、複数の直線を組み合わせた形状等の非直線形状となっている。この継ぎ目32に沿って、封印シール8を切断するのを困難なものとするためである。また、封印シール8は、切断したことが容易に分かるような、切断跡が残されるようなものを使用するのが望ましい。
【００１７】
（第３の発明）
本発明のうち第３の発明は、基板7と、この基板7を収納する基板ケース1とを備える遊技機であって、前記基板ケース1は、ベース部材2と、該ベース部材2と組み合わされるカバー部材3とを備え、ベース部材2とカバー部材3とを組み合わせると、ベース部材2とカバー部材3との間に基板7を収納可能な空間が形成され、ベース部材2とカバー部材3とを組み合わせた際には、ベース部材2とカバー部材3とにまたがったシール貼付平面31が形成され、このシール貼付平面31におけるベース部材2とカバー部材3との継ぎ目32は非直線形状に形成され、このシール貼付平面31には、ベース部材2とカバー部材3とにまたがって継ぎ目32を覆うように封印シール8が貼られることを特徴とする。
【００１８】
ここで、第３の発明におけるベース部材2及びカバー部材3は、第１の発明における第１部材81及び第２部材82に該当するものである。
すなわち、第３の発明に係る遊技機における基板ケース1は、第１部材81としてのベース部材2と、この第１部材81としてのベース部材2と組み合わされる第２部材82としてのカバー部材3とを備え、第１部材81としてのベース部材2と、第２部材82としてのカバー部材3とを組み合わせた際には、第１部材81としてのベース部材2と、第２部材82としてのカバー部材3とにまたがったシール貼付平面31が形成され、このシール貼付平面31における第１部材81としてのベース部材2と、第２部材82としてのカバー部材3との継ぎ目32は非直線形状に形成され、このシール貼付平面31には、第１部材81としてのベース部材2と、第２部材82としてのカバー部材3とにまたがって継ぎ目32を覆うように封印シール8が貼られる。
【００１９】
ここで、この遊技機は、基板7と、この基板7を収納する基板ケース1とを備えている。すなわち、基板7は基板ケース1に収納される。
前記基板ケース1は、ベース部材2と、該ベース部材2と組み合わされるカバー部材3とを備えている。すなわち、ベース部材2及びカバー部材3は基板ケース1を構成する部材であり、両者が組み合わされることで基板ケース1が形成される。
また、ベース部材2とカバー部材3とを組み合わせると、ベース部材2とカバー部材3との間に基板7を収納可能な空間が形成される。
このように、ベース部材2及びカバー部材3の両者を組み合わせて、それらの間に基板7を収納する空間を形成可能とするために、ベース部材2又はカバー部材3の少なくとも一方を、開口部を有する箱型形状とする必要がある。たとえば、ベース部材2は開口部を有する箱型形状とし、カバー部材3は、この開口部を覆う平面板とすることができる。これにより、ベース部材2の開口部を覆うようにカバー部材3を組み合わせると、ベース部材2とカバー部材3との間に基板7を収納可能な空間が形成される。また、ベース部材2を平面板とし、カバー部材3を、開口部を有する箱型形状とすることもできる。また、ベース部材2及びカバー部材3の両方を、開口部を有する箱型形状とすることもできる。
【００２０】
また、ベース部材2とカバー部材3とを組み合わせた際には、ベース部材2とカバー部材3とにまたがったシール貼付平面31が形成される。換言すれば、ベース部材2とカバー部材3とが組み合わされると、ベース部材2とカバー部材3とが一体になることにより、ベース部材2とカバー部材3とにまたがるシール貼付平面31が形成される。
具体的には、たとえば、ベース部材2及びカバー部材3の両方を、開口部を有する箱型形状とし、ベース部材2又はカバー部材3のいずれか一方には、その外周縁に、第１嵌合部71を設け、他方には、その外周縁に、第１嵌合部71と嵌合する第２嵌合部72を設けることができる。これにより、ベース部材2とカバー部材3とを組み合わせた際に、第１嵌合部71と第２嵌合部72とが一体になることで、ベース部材2とカバー部材3とにまたがるシール貼付平面31が形成される。
【００２１】
また、前記第１嵌合部71又は第２嵌合部72のいずれか一方には、他方を収納する凹部を設けることもできる。すなわち、第１嵌合部71又は第２嵌合部72のいずれか一方に、他方の外形を象った凹部を形成する。これにより、一方の嵌合部の凹部に他方の嵌合部が収納されることとなる。そして、ベース部材2とカバー部材3とを組み合わせた際に、第１嵌合部71と第２嵌合部72とが一体になることで、ベース部材2とカバー部材3とにまたがるシール貼付平面31が形成される。ここで、凹部を設けるのは、第１嵌合部71でもよく、第２嵌合部72でもよい。具体的には、第１嵌合部71に凹部を設けた場合には、凹部は第２嵌合部72の外形を象ったものとする。これによって、第２嵌合部72が第１嵌合部71に設けられた凹部に収納される。また、第２嵌合部72を凹部とした場合には、凹部は第１嵌合部71の外形を象ったものとする。これによって第１嵌合部71が第２嵌合部72に設けられた凹部に収納される。
【００２２】
このシール貼付平面31は、ベース部材2とカバー部材3とにまたがっており、かつ、後述する封印シール8を貼付できるように形成されていればよく、ベース部材2及びカバー部材3の表面から窪むように形成されていてもよい。
また、このシール貼付平面31におけるベース部材2とカバー部材3との継ぎ目32は非直線形状に形成され、このシール貼付平面31には、ベース部材2とカバー部材3とにまたがって継ぎ目32を覆うように封印シール8が貼られる
すなわち、ベース部材2とカバー部材3との継ぎ目32は、単純な直線形状ではなく、曲線や、複数の直線を組み合わせた形状等の非直線形状となっている。この継ぎ目32に沿って、封印シール8を切断するのを困難なものとするためである。また、封印シール8は、切断したことが容易に分かるような、切断跡が残されるようなものを使用するのが望ましい。
【００２３】
（第４の発明）
本発明のうち第４の発明は、基板7と、この基板7を収納する基板ケース1とを備える遊技機であって、前記基板ケース1は、ベース部材2と、該ベース部材2と組み合わされるカバー部材3とを備え、ベース部材2とカバー部材3とを組み合わせると、ベース部材2とカバー部材3との間に基板7を収納可能な空間が形成され、前記ベース部材2は、その外周縁から外方に向けて突出する第１フランジ部5を備え、前記カバー部材3は、その外周縁から外方に向けて突出する第２フランジ部6を備え、前記ベース部材2と前記カバー部材3とを組み合わせた際に、前記第２フランジ部6は前記第１フランジ部5と重なり合い、第１フランジ部5又は第２フランジ部6のいずれか一方には、他方が収納される凹部21が設けられ、第１フランジ部5又は第２フランジ部6のいずれか一方を他方に設けた凹部21に収納した際には、第１フランジ部5と第２フランジ部6とにまたがったシール貼付平面31が形成され、このシール貼付平面31における第１フランジ部5と第２フランジ部6との継ぎ目32は非直線形状に形成され、このシール貼付平面31には、第１フランジ部5と第２フランジ部6とにまたがって継ぎ目32を覆うように封印シール8が貼られることを特徴とする。
【００２４】
ここで、第４の発明における第１フランジ部5及び第２フランジ部6は、第１の発明における第１部材81及び第２部材82に該当するものである。
すなわち、第４の発明に係る遊技機における基板ケース1には、第１部材81としての第１フランジ部5と、この第１部材81としての第１フランジ部5と組み合わされる第２部材82としての第２フランジ部6とを備え、第１部材81としての第１フランジ部5と、第２部材82としての第２フランジ部6とを組み合わせた際には、第１部材81としての第１フランジ部5と、第２部材82としての第２フランジ部6とにまたがったシール貼付平面31が形成され、このシール貼付平面31における第１部材81としての第１フランジ部5と、第２部材82としての第２フランジ部6との継ぎ目32は非直線形状に形成され、このシール貼付平面31には、第１部材81としての第１フランジ部5と、第２部材82としての第２フランジ部6とにまたがって継ぎ目32を覆うように封印シール8が貼られる。
【００２５】
ここで、この遊技機は、基板7と、この基板7を収納する基板ケース1とを備えている。すなわち、基板7は基板ケース1に収納される。
また、基板ケース1はベース部材2と、該ベース部材2と組み合わされるカバー部材3とを備えている。すなわち、ベース部材2及びカバー部材3は基板ケース1を構成する部材であり、両者が組み合わされることで基板ケース1が形成される。
また、ベース部材2とカバー部材3とを組み合わせると、ベース部材2とカバー部材3との間に基板7を収納可能な空間が形成される。このように、ベース部材2及びカバー部材3の両者を組み合わせて、それらの間に基板7を収納する空間を形成可能とするために、ベース部材2又はカバー部材3の少なくとも一方を、開口部を有する箱型形状とする必要がある。たとえば、ベース部材2は開口部を有する箱型形状とし、カバー部材3は、この開口部を覆う平面板とすることができる。これにより、ベース部材2の開口部を覆うようにカバー部材3を組み合わせると、ベース部材2とカバー部材3との間に基板7を収納可能な空間が形成される。また、ベース部材2を平面板とし、カバー部材3を、開口部を有する箱型形状とすることもできる。また、ベース部材2及びカバー部材3の両方を、開口部を有する箱型形状とすることもできる。
【００２６】
ベース部材2は、その外周縁から外方に向けて突出する第１フランジ部5を備え、カバー部材3は、その外周縁から外方に向けて突出する第２フランジ部6を備え、前記ベース部材2と前記カバー部材3とを組み合わせた際に、前記第２フランジ部6は前記第１フランジ部5と重なり合う。
ここで、両フランジ部は、基板ケース1の不正開放を困難なものとするため、複数個備えることができる。さらに、両フランジ部は、基板ケース1の不正開放を困難なものとするため、たとえば、ベース部材2及びカバー部材3の長辺の両端近傍にそれぞれ備えることができる。また、ベース部材2及びカバー部材3の四辺の中央付近にそれぞれ備えることもできる。
【００２７】
第１フランジ部5又は第２フランジ部6のいずれか一方には、他方が収納される凹部21が設けられる。
すなわち、第１フランジ部5又は第２フランジ部6のいずれか一方に、他方の外形を象った凹部21が設けられ、これにより、一方のフランジ部の凹部21に他方のフランジ部が収納されることとなる。ここで、前記凹部21は第１フランジ部5に設けてもよく、第２フランジ部6に設けてもよい。具体的には、第１フランジ部5に凹部21を設ける場合には、凹部21は第２フランジ部6の外形を象ったものとする。これによって、第２フランジ部6が第１フランジ部5の凹部21に収納される。また、第２フランジ部6に凹部21を設ける場合には、凹部21は第１フランジ部5の外形を象ったものとする。これによって、第１フランジ部5が第２フランジ部6に収納される。
【００２８】
第１フランジ部5又は第２フランジ部6のいずれか一方を他方に設けた凹部21に収納した際には、第１フランジ部5と第２フランジ部6とにまたがったシール貼付平面31が形成される。
すなわち、第１フランジ部5又は第２フランジ部6のいずれか一方が、他方の凹部21に収納されると、第１フランジ部5又は第２フランジ部6のいずれか一方及び他方のフランジ部の凹部21以外の部分が一体になることにより、第１フランジ部5と第２フランジ部6とにまたがるシール貼付平面31が形成される。より具体的には、第１フランジ部5に凹部21を設ける場合には、第２フランジ部6が第１フランジ部5の凹部21に収納されると、第２フランジ部6と、第１フランジ部5の凹部21以外の部分とによって、第１フランジ部5と第２フランジ部6とにまたがるシール貼付平面31が形成される。また、第２フランジ部6に凹部21を設ける場合には、第１フランジ部5が第２フランジ部6の凹部21に収納されると、第１フランジ部5と、第２フランジ部6の凹部21以外の部分とによって、第１フランジ部5と第２フランジ部6とにまたがるシール貼付平面31が形成される。
【００２９】
このシール貼付平面31における第１フランジ部5と第２フランジ部6との継ぎ目32は非直線形状に形成され、このシール貼付平面31には、第１フランジ部5と第２フランジ部6とにまたがって継ぎ目32を覆うように封印シール8が貼られる。
すなわち、第１フランジ部5と第２フランジ部6との継ぎ目32は、一本の斜線のような単純な直線形状ではなく、曲線や、複数の直線を組み合わせた形状等の非直線形状となっている。この継ぎ目32に沿って、封印シール8を切断するのを困難なものとするためである。また、封印シール8は、切断したことが容易に分かるような、切断跡が残されるようなものを使用するのが望ましい。
【００３０】
（第５の発明）
本発明のうち第５の発明は、上記第１、第２、第３又は第４の発明の特徴に加え、前記継ぎ目32は、複数の凹凸の繰り返しからなる形状であることを特徴とする。
上述の如く、継ぎ目32は、封印シール8の切断を困難なものとするため、非直線形状となっている。すなわち、この継ぎ目32の非直線形状は、複数の凹凸の繰り返しからなる形状とする。この凹凸は、封印シール8の切断が困難なものとなるのであれば、直線を複数組み合わせて構成してもよく、また、曲線を複数組み合わせて構成してもよい。また、直線のみから構成される凹凸及び曲線のみから構成される凹凸だけでなく、直線と曲線とを複数組み合わせて構成してもよい。
【００３１】
また、この凹凸は、封印シール8の切断が困難となるのであれば、等間隔ごとに形成されている必要もなく、形状や大きさが総て等しく形成されている必要もない。
たとえば、直線で構成されたＶ字型の凹凸としてもよい。また、直線で構成された矩形状の凹凸としてもよい。また、曲線で構成されたＵ字型の凹凸としてもよい。また、上述した凹凸を複数組み合わせた形状としてもよい。凹凸の形状は、これらに限らず、他の様々な形状とすることができる。
（第６の発明）
本発明のうち第６の発明は、上記第１、第２、第３、第４又は第５の発明の特徴に加え、前記シール貼付平面31の外縁部分には、シール貼付平面31から盛り上がるように突出する段部22が設けられていることを特徴とする。
【００３２】
具体的には、上述のように、基板ケース1と筐体52とを組み合わせることによりシール貼付平面31が形成される場合には、このシール貼付平面31の外縁部分が、当該シール貼付平面31の、基板ケース1と筐体52との継ぎ目32周辺よりも一段高い段部22となっている。
また、上述のように、ベース部材2とカバー部材3とを組み合わせることによりシール貼付平面31が形成される場合には、このシール貼付平面31の外縁部分が、当該シール貼付平面31の、ベース部材2とカバー部材3との継ぎ目32周辺よりも一段高い段部22となっている。
また、上述のように、第１フランジ部5と第２フランジ部6とを組み合わせることによりシール貼付平面31が形成される場合には、このシール貼付平面31の外縁部分が、当該シール貼付平面31の、第１フランジ部5と第２フランジ部6との継ぎ目32周辺よりも一段高い段部22となっている。
【００３３】
換言すると、段部22は、前記シール貼付平面31の外縁部分に設けられており、当該シール貼付平面31を所定方向に向けた際に、当該シール貼付平面31から同方向へ向けて突出する。たとえば、シール貼付平面31が上方向を向いている場合には、段部22は、当該シール貼付平面31から上方向へ向けて突出する。
また、段部22の高さについては、シール貼付平面31に封印シール8を貼付した際の封印シール8の高さよりも、高くするのが望ましい。また、封印シール8を貼付する際は、シール貼付平面31の全面に渡って、隙間なく貼付するのが望ましい。
このように封印シール8をシール貼付平面31に貼付することにより、シール貼付平面31と封印シール8との境界にカッターナイフ等を当てて封印シール8を剥がすことを難しくすることができる。
【００３４】
（第７の発明）
本発明のうち第７の発明は、上記第１、第２、第３、第４、第５又は第６の発明の特徴に加え、前記シール貼付平面31には、当該シール貼付平面31に貼付して剥がした際に、当該シール貼付平面31に、文字、図形、記号又はこれらの結合が表示されるように形成された封印シール8を貼付したことを特徴とする。
このような封印シール8を利用することにより、封印シール8が剥がされた際の視認性を向上させることができる。
この種の封印シール8は、透明フィルムの一方面に中間層を介して粘着剤層を重合状に設けることによって形成されている。たとえば、所定の封印シール8は、透明フィルムと、該フィルムを被着体に貼着する粘着剤層と、該層に被着体に貼着する際に剥離する剥離紙とを積層し、前記透明フィルムには蛍光性材料を添加するかあるいは蛍光性材料を含むインクを前記粘着剤層側に印刷し、前記蛍光性材料の添加あるいは印刷と共に、透明フィルム側より粘着剤層側に接合力を強くした転写性に富むインクを透明フィルムに印刷するように形成されている。この封印シール8では、上述のように、転写性に富むインクを透明フィルムに印刷してあり、剥離に際してインクを透明フィルムから粘着材層に転写することで、封印シール8の開封跡が残される。
【００３５】
ここで、一定の形態を示すように、インクを透明フィルムに印刷しておくことで、封印シール8を剥がした際に、文字、図形、記号又はこれらの結合等がシール貼付平面31上に表示される。
なお、この封印シール8としては、他の周知、慣用技術を利用することも可能である。
（第８の発明）
本発明のうち第８の発明は、上記第１、第２、第３、第４、第５又は第６の発明の特徴に加え、前記シール貼付平面31には、当該シール貼付平面31に貼付して剥がした際に、破断されるように形成された封印シール8を貼付したことを特徴とする。
【００３６】
所定の封印シール8は、貼付して、これを剥がすと、当該封印シール8がぼろぼろに破れてしまい、再貼付が不可能となるように形成されている。このような封印シール8を利用することにより、封印シール8が剥がされた際の視認性を向上させることができる。
この種の封印シール8は、少しでも剥がそうとするとすぐに破れてしまう脆弱な素材を用いて形成されている。したがって、この封印シール8が剥がされた際には、封印シール貼付平面31に封印シール8の開封跡が残される。
なお、この封印シール8としては、他の周知、慣用技術を利用することも可能である。
（第９の発明）
本発明のうち第９の発明は、上記第１、第２、第３、第４、第５又は第６の発明の特徴に加え、前記シール貼付平面31には、当該シール貼付平面31に貼付して剥がした際に、前記継ぎ目32の形状と異なる形状に切断される脆弱な部分を有するように形成された封印シール8を貼付したことを特徴とする。
【００３７】
封印シール8は、当該封印シール8が剥がされた際に、上述の継ぎ目32の形状と異なる形状で切断されるように形成されている。これにより、封印シール8の開封跡を視認しやすいものとなり、封印シール8が剥がされた際の視認性をより向上させることができる。
ここで、「継ぎ目32の形状と異なる形状に切断される脆弱な部分を有する」とは、たとえば、封印シール8を貼付した際に継ぎ目32の形状とは異なった形状となるミシン目を、封印シール8に設けること等を意味するものである。
なお、この封印シール8としては、他の周知、慣用技術を利用することも可能である。
【発明の効果】
【００３８】
本発明は、以下に記載されるような効果を奏する。
すなわち、本発明のうち第１の発明は、継ぎ目に沿っての封印シールの切断を難しくさせ、かつ、封印シールが切断された場合の切断跡の視認性を向上させることができ、これによりゴト行為防止を図ることが可能な遊技機を提供することができる。
また、本発明のうち第２の発明は、基板ケースと筐体との継ぎ目に沿っての封印シールの切断を難しくさせ、かつ、封印シールが切断された場合の切断跡の視認性を向上させることができ、これによりゴト行為防止を図ることが可能な遊技機を提供することができる。
また、本発明のうち第３の発明は、基板ケースにおけるベース部材とカバー部材との継ぎ目に沿っての封印シールの切断を難しくさせ、かつ、封印シールが切断された場合の切断跡の視認性を向上させることができ、これによりゴト行為防止を図ることが可能な遊技機を提供することができる。
また、本発明のうち第４の発明は、基板ケースにおける第１フランジ部と第２フランジ部との継ぎ目沿っての封印シールの切断を難しくさせ、かつ、封印シールが切断された場合の切断跡の視認性を向上させることができ、これによりゴト行為防止を図ることが可能な遊技機を提供することができる。
また、本発明のうち第５の発明は、上記した第１、第２、第３又は第４の発明の効果に加え、ゴト行為をすることがより一層難しくなる遊技機を提供することができる。
また、本発明のうち第６の発明は、上記した第１、第２、第３、第４又は第５の発明の効果に加え、封印シールとシール貼付平面との境界に刃物を当てて封印シールを剥がすことを難しくさせるものであって、ゴト行為をすることがより一層難しくなる遊技機を提供することができる。
また、本発明のうち第７の発明は、上記した第１、第２、第３、第４、第５又は第６の発明の効果に加え、封印シールをシール貼付平面に貼付して剥がした際に、シール貼付平面に、文字、図形、記号又はこれらの結合が表示されることから、封印シールが剥がされた場合にも、その跡を容易に視認することができるものであって、ゴト行為をすることがより一層難しくなる遊技機を提供することができる。
また、本発明のうち第８の発明は、上記した第１、第２、第３、第４、第５又は第６の発明の効果に加え、封印シールをシール貼付平面に貼付して剥がした際に、封印シールが破断されることから、封印シールが剥がされた場合にも、その跡を容易に視認することができるものであって、ゴト行為をすることがより一層難しくなる遊技機を提供することができる。
また、本発明のうち第９の発明は、上記した第１、第２、第３、第４、第５又は第６の発明の効果に加え、封印シールをシール貼付平面に貼付して剥がした際に、継ぎ目の形状と異なる形状に切断されることから、封印シールが剥がされた場合にも、その跡を容易に視認することができるものであって、ゴト行為をすることがより一層難しくなる遊技機を提供することができる。
すなわち、本発明に係る遊技機では、２つの部材にまたがったシール貼付平面を形成しており、このシール貼付平面における２つの部材の継ぎ目は非直線形状となっているため、封印シールはこの非直線形状の継ぎ目に沿って切断しなければならず、封印シールの切断が難しくなる。
【００３９】
また、継ぎ目が直線形状である場合、カッターナイフ等で上手に封印シールを切断した際には、一見して、不正に切断されたということが分かりにくいが、継ぎ目を非直線形状とすると、封印シールの切断が困難であることから切断ミスをする場合もあり、切断跡が残ることとなる。したがって、不正開放がされた場合の視認性が向上することとなる。
また、本発明で使用する封印シールは、一度貼付してから剥がすと、その形跡が様々な状態によって残ることとなるため、封印シールが剥がされた場合にも、容易に視認することができることとなる。
さらに、上述のように、本発明に係る遊技機では、継ぎ目に沿っての封印シールの切断が難しく、かつ、封印シールが不正に開放された場合にその旨を容易に確認できることから、いわゆるゴト師の、このような遊技機に対して、封印シールの不正開放等のゴト行為を行う意欲を減退させることとなり、ひいては、ゴト行為がされづらくなる。
【発明を実施するための最良の形態】
【００４０】
以下、本発明の実施の形態を図面を参照しつつ説明する。
（１）第１の実施の形態
本発明の第１の実施の形態では、後述するように、第１フランジ部5と第２フランジ部6とが組み合わされてシール貼付平面31が形成される。すなわち、第１フランジ部5又は第２フランジ部6のいずれか一方が、上述の第１部材81に該当し、他方が、上述の第２部材82に該当するものである。ここでは、第１フランジ部5が第１部材81に該当するとともに、第２フランジ部6が第２部材82に該当するものとする。
（図面の説明）
図１は、本発明の第１の実施の形態に係る基板ケース1の斜視図である。図２は、本発明の第１の実施の形態に係る基板ケース1の正面図である。図３は、本発明の第1の実施の形態に係る基板ケース1の上面図である。図４は、図２の基板ケース1をＡ−Ａ断面で示した図である。図５は、本発明の第１の実施の形態に係る第１フランジ部5に第２フランジ部6を収納する前の状態（ａ）、第１フランジ部5に第２フランジ部6を収納した状態（ｂ）、封印シール8を貼付した状態（ｃ）を示した図である。図６は、本発明の第１の実施の形態において、第１フランジ部5に第２フランジ部6を収納した状態を拡大して示した図である。図７は、本発明の第１の実施の形態に係る封印シール8が剥がされた状態を示した図である。図８は、本発明の第１の実施の形態に係る基板ケース1をスロットマシン51に固定した状態を示した図である。
【００４１】
（基板ケース1）
本実施の形態に係る基板ケース1は、図１に示すように、ベース部材2と、該ベース部材2と組み合わされるカバー部材3とを備えている。より具体的には、基板ケース1は、図１に示すように、底板10（図３に図示）と側板とから構成される直方体箱型形状であって、底板10と対向する方向に開口部を有するベース部材2と、天板9と側板とから構成される直方体箱型形状であって、天板9と対向する方向に開口部を有するカバー部材3とを備えている。そして、ベース部材2とカバー部材3とは、両者の開口部を組み合わせて一体とすることが可能となっている。
【００４２】
また、ベース部材2とカバー部材3とを組み合わせるとベース部材2とカバー部材3との間に基板7を収納可能な空間が形成される。具体的には、ベース部材2の開口部と、カバー部材3の開口部とが組み合わされることで、ベース部材2の有する空間とカバー部材3の有する空間とから、基板7を収納可能な空間が形成される（図３及び図４参照）。
（ベース部材2）
ベース部材2は、図２に示すように、その外周縁から外方へ向けて突出する第１フランジ部5を備える。具体的には、ベース部材2の長辺側の外周縁から外方へ突出する第１フランジ部5を備える。この第１フランジ部5は長方形状の板となっており、この板の長辺でベース部材2と連接している。
【００４３】
また、この第１フランジ部5は、ベース部材2の両長辺の中央付近にそれぞれ１つずつ計２箇所備えられている（図２参照）。
また、ベース部材2の、底板10の開口部側の面の中央付近には、基板7をベース部材2に固定すべくネジを止めるための第１ネジ止め部12が２箇所設けられている。この第１ネジ止め部12は円筒形をしており、ベース部材2の、底板10の開口部側の面から開口部方向へ向けて、かつ、底板10に対して垂直に突出するように備えられている。また、この第１ネジ止め部12は、基板用ネジ11を挿入し、ねじ込んでいくためのネジ穴となっている（図３及び図４参照）。
【００４４】
（カバー部材3）
カバー部材3は、図２に示すように、その外周縁から外方へ向けて突出する第２フランジ部6を備えており、この第２フランジ部6は、カバー部材3とベース部材2とを組み合わせた際に、前記第１フランジ部5と重なり合う。
具体的には、カバー部材3には、このカバー部材3とベース部材2とを組み合わせた際、ベース部材2に備えられた２つの第１フランジ部5のそれぞれと対応する位置に第２フランジ部6を備える。
また、カバー部材3の天板9には、このカバー部材3とベース部材2とを組み合わせた際に当該ベース部材2の第１ネジ止め部12のそれぞれと対応する位置に、第２ネジ止め部14が設けられている。この第２ネジ止め部14は、カバー部材3の天板9を貫通し、当該カバー部材3の天板9の、開口部側の面から開口部方向へ向けて突出する円筒形部材である。また、第２ネジ止め部14の開口部方向の端面には貫通孔が設けられている。後述するように、基板用ネジ11は、この第２ネジ止め部14から挿入されて、基板7を介して、前記第１ネジ止め部12にねじ込まれて止められる。これによって、基板7がカバー部材3とベース部材2を組み合わせることにより形成される内部空間に固定されることとなる（図３及び図４参照）。
【００４５】
（第１フランジ部5、第２フランジ部6）
本実施の形態では、第１フランジ部5に、第２フランジ部6が収納される凹部21が設けられる（図５（ａ）参照）。ここで、第１フランジ部5に設けられる凹部21は、後述する第２フランジ部6の外形を象ったものとなっている。これによって、第２フランジ部6が第１フランジ部5に収納される。
そして、第２フランジ部6を、第１フランジ部5に設けた凹部21に収納した際には、第１フランジ部5と第２フランジ部6とにまたがったシール貼付平面31が形成される。すなわち、第２フランジ部6が第１フランジ部5に収納され、第２フランジ部6と、第１フランジ部5の凹部21以外の部分とによって、第１フランジ部5と第２フランジ部6とにまたがるシール貼付平面31が形成される（図５（ｂ）参照）。
【００４６】
また、図６に示すように、このシール貼付平面31の外縁部分には、シール貼付平面31から盛り上がるように突出する段部22が設けられている。すなわち、シール貼付平面31の外縁部分が、当該シール貼付平面31の、第１フランジ部5と第２フランジ部6との継ぎ目32周辺よりも一段高い段部22となっている。これにより、シール貼付平面31と封印シール8との境界にカッターナイフ等を当てて封印シール8を剥がすことを難しくすることができる。
また、このシール貼付平面31における第１フランジ部5と第２フランジ部6との継ぎ目32は非直線形状に形成される。具体的には、本実施の形態におけるシール貼付平面31における第１フランジ部5と第２フランジ部6との継ぎ目32は直線で構成されたＶ字凹凸の連続形状となっている（図５参照）。
【００４７】
（封印シール8）
本実施の形態に係る封印シール8は、シール貼付平面31に貼付して剥がした際に、当該シール貼付平面31に、文字、図形、記号又はこれらの結合が表示されるように形成されている。具体的には、図７に示すように、封印シール8が剥がされると、シール貼付平面31に「開封済み」の文字が表示される。
本実施の形態に係る封印シール8は、透明フィルムの一方面に中間層を介して粘着剤層を重合状に設けることによって形成されている。より具体的には、この封印シール8は、透明フィルムと、該フィルムを被着体に貼着する粘着剤層と、該層に被着体に貼着する際に剥離する剥離紙とを積層し、前記透明フィルムには蛍光性材料を添加するかあるいは蛍光性材料を含むインクを前記粘着剤層側に印刷し、前記蛍光性材料の添加あるいは印刷と共に、透明フィルム側より粘着剤層側に接合力を強くした転写性に富むインクを透明フィルムに印刷するように形成されている。この封印シール8では、上述のように、転写性に富むインクを透明フィルムに印刷してあり、剥離に際してインクを透明フィルムから粘着材層に転写することで、封印シール8の開封跡が残され、シール貼付平面31に「開封済み」の文字が表示される。
【００４８】
（基板7の固定）
上述の如く、ベース部材2の、底板10の開口部側の面の中央付近には、基板7をベース部材2に固定すべくネジを止めるための第１ネジ止め部12が２箇所設けられている。また、カバー部材3の天板9には、このカバー部材3とベース部材2とを組み合わせた際に当該ベース部材2の第１ネジ止め部12のそれぞれと対応する位置に、第２ネジ止め部14が設けられている。この第２ネジ止め部14は、カバー部材3の天板9を貫通し、当該カバー部材3の天板9の開口部側の面から、開口部方向へ向けて突出する（図４参照）。また、基板7の、カバー部材3とベース部材2とを組み合わせた際に第１ネジ止め部12及び第２ネジ止め部14と対応する位置にそれぞれ基板貫通孔13が設けられている（図４参照）。
【００４９】
基板7は、ベース部材2の第１ネジ止め部12上に載置され、さらに、この上からカバー部材3により覆われる。そして、このカバー部材3の第２ネジ止め部14に、カバー部材3の天板9の、開口部と反対側の面から、基板用ネジ11を挿入していく。そして、第２ネジ止め部14及び基板貫通孔13を介して、基板用ネジ11が第１ネジ止め部12にねじ込まれて止められることで、基板7が、カバー部材3とベース部材2とを組み合わせて形成される内部空間に固定されることとなる（図４参照）。
なお、基板7の、基板ケース1への固定については、他の周知又は慣用の技術を用いることができる。
【００５０】
（封印シール8の貼付）
そして、基板ケース1に基板7を固定した後、図５（ｃ）に示すように、シール貼付平面31に、第１フランジ部5と第２フランジ部6とにまたがって継ぎ目32を覆うように封印シール8が貼られる。また、この封印シール8は、シール貼付平面31の全面を覆い、隙間ができることのないように貼付する。
（基板ケース1の固定）
そして、シール貼付平面31に封印シール8を貼付した後、基板ケース1は、図８に示すように、スロットマシン51の内部に固定される。具体的には、ベース部材2の底板10を、スロットマシン51の内部における背板に接着することで、基板ケース1は固定される。
【００５１】
なお、基板ケース1の、スロットマシン51への固定については、たとえば、ネジ止め等の他の周知又は慣用の技術を用いることができる。
（総括）
本実施の形態に係る基板ケース1では、継ぎ目32に沿っての封印シール8の切断を難しくさせ、かつ、封印シール8を切断された場合の切断跡の視認性を向上させることができ、これによりゴト行為防止を図ることが可能である。
さらに、封印シール8とシール貼付平面31との境界に刃物を当てて封印シール8を剥がすことを難しくさせており、ゴト行為をすることがより一層難しくなっている。
【００５２】
さらに、封印シール8をシール貼付平面31に貼付して剥がした際に、シール貼付平面31に、「開封済み」の文字結合が表示されることから、封印シール8が剥がされた場合にも、その跡を容易に視認することができ、ゴト行為をすることがより一層難しくなっている。
また、本実施の形態に係るスロットマシン51では、基板ケース1の不正開放を防止し、基板ケース1の不正開放跡の視認性を向上しており、ゴト行為の実行が難しいものとなっている。
つまり、本実施の形態に係る基板ケース1では、第２フランジ部6が、第１フランジ部5の凹部21に収納され、第１フランジ部5と第２フランジ部6とにまたがったシール貼付平面31を形成しており、このシール貼付平面31における第１フランジ部5と第２フランジ部6との継ぎ目32は非直線形状となっているため、封印シール8はこの非直線形状の継ぎ目32に沿って切断しなければならず、封印シール8の切断が難しくなっている。
【００５３】
また、継ぎ目32が直線形状とされている場合、カッターナイフ等で上手に封印シール8を切断した際には、一見して、不正に切断されたということが分かりにくいが、継ぎ目32を非直線形状とすると、封印シール8の切断が困難であることから切断ミスをする場合もあり、切断跡が残ることとなる。したがって、不正開放がされた場合の視認性が向上することとなる。
また、シール貼付平面31の外縁部分が盛り上がるように突出する段部22となっているため、封印シール8とシール貼付平面31との境界に刃物を当てて、封印シール8を剥がすことが難しくなっている。
【００５４】
また、本実施の形態で使用する封印シール8は、一度貼付してから剥がすと、その形跡が残ることとなるため、封印シール8が剥がされた場合にも、容易に視認することができることとなる。
さらに、上述のように、本実施の形態では、継ぎ目32に沿っての封印シール8の切断が難しく、かつ、封印シール8が不正に開放された場合にその旨を容易に確認できることから、いわゆるゴト師の、このような基板ケース1に対して、封印シール8の不正開放等のゴト行為を行う意欲を減退させることとなり、ひいては、ゴト行為がされづらくなる。
（２）第２の実施の形態
本発明の第２の実施の形態は、第１フランジ部5及び第２フランジ部6が、第１の実施の形態と相違し、他については第１の実施の形態と同一である。この相違点について具体的に説明する。
【００５５】
なお、ここでも、第１の実施の形態と同様に、第１フランジ部5が第１部材81に該当するとともに、第２フランジ部6が第２部材82に該当するものとする。
（図面の説明）
図９は、本発明の第２の実施の形態に係る基板ケース1の正面図、図１０は、図９の基板ケース1をＡ−Ａ断面で示した図である。
（第１フランジ部5、第２フランジ部6）
本実施の形態では、第２フランジ部6に、第１フランジ部5が収納される凹部21が設けられる（図９参照）。ここで、第２フランジ部6に設けられる凹部21は、第１フランジ部5の外形を象ったものとなっている。これによって、第１フランジ部5が第２フランジ部6に収納される。
【００５６】
そして、第１フランジ部5を、第２フランジ部6に設けた凹部21に収納した際には、第１フランジ部5と第２フランジ部6とにまたがったシール貼付平面31が形成される。すなわち、第１フランジ部5が第２フランジ部6に収納され、第１フランジ部5と、第２フランジ部6の凹部21以外の部分とによって、第１フランジ部5と第２フランジ部6とにまたがるシール貼付平面31が形成される（図９及び図１０参照）。
（総括）
上述のように、本実施の形態では、第１フランジ部5及び第２フランジ部6が第１の実施の形態と異なるが、他の構成等は同一であり、上述した第１の実施の形態と同一の作用効果を奏する。
【００５７】
（３）第３の実施の形態
本発明の第３の実施の形態は、シール貼付平面31に貼付される封印シール8が、第１の実施の形態と相違し、他については第１の実施の形態と同一である。この相違点について具体的に説明する。
なお、ここでも、第１の実施の形態と同様に、第１フランジ部5が第１部材81に該当するとともに、第２フランジ部6が第２部材82に該当するものとする。
（図面の説明）
図１１は、本発明の第３の実施の形態に係るシール貼付平面31に貼付された封印シール8が剥がされた状態を示した図である。
【００５８】
（封印シール8）
本実施の形態に係る封印シール8は、シール貼付平面31に貼付して剥がした際に、破断されるように形成されている。
すなわち、図１１に示すように、この封印シール8は、貼付して、これを剥がすと、当該封印シール8がぼろぼろに破れてしまい、再貼付が不可能となるように形成されている。換言すると、この封印シール8は、少しでも剥がそうとするとすぐに破れてしまう脆弱な素材を用いて形成されている。
したがって、この封印シール8が剥がされた際には、封印シール貼付平面31に封印シール8の開封跡が残され、封印シール8の不正開封を容易に視認することができる。
【００５９】
（総括）
上述のように、本実施の形態では、封印シール8が第１の実施の形態と異なるが、他の構成等は同一であり、上述した第１の実施の形態と同一の作用効果を奏する。
（４）第４の実施の形態
本発明の第４の実施の形態は、シール貼付平面31に貼付される封印シール8が、第１の実施の形態と相違し、他については第１の実施の形態と同一である。この相違点について具体的に説明する。
（図面の説明）
図１２は、本発明の第４の実施の形態に係るシール貼付平面31に封印シール8を貼付した状態（ａ）及び貼付された封印シール8が剥がされた状態（ｂ）を示した図である。
【００６０】
（封印シール8）
本実施の形態に係る封印シール8は、シール貼付平面31に貼付して剥がした際に、前記継ぎ目32の形状と異なる形状に切断される脆弱な部分を有するように形成されている。
具体的には、封印シール8には、この封印シール8をシール貼付平面31に貼付した際に、継ぎ目32と交差するような形状のミシン目を設ける。本実施の形態では、当該封印シール8の、継ぎ目32と対応する位置に、当該継ぎ目32のＶ字凹凸とは反対向きのＶ字凹凸の連続形状のミシン目を設ける（図１２（ａ）参照）。
これにより、封印シール8が剥がされた際に、封印シール8の開封跡がより明確にされ、封印シール8の不正開封を容易に視認することができる（図１２（ｂ）参照）。
【００６１】
（総括）
上述のように、本実施の形態では、封印シール8が第１の実施の形態と異なるが、他の構成等は同一であり、上述した第１の実施の形態と同一の作用効果を奏する。
（５）第５の実施の形態
本発明の第５の実施の形態は、継ぎ目32が、第１の実施の形態と相違し、他については第１の実施の形態と同一である。この相違点について具体的に説明する。
なお、ここでも、第１の実施の形態と同様に、第１フランジ部5が第１部材81に該当するとともに、第２フランジ部6が第２部材82に該当するものとする。
【００６２】
（図面の説明）
図１３は、本発明の第５の実施の形態に係る継ぎ目32の各形状（ａ）、（ｂ）、（ｃ）、（ｄ）を示した図である。
（継ぎ目32）
上述の如く、シール貼付平面31における第１フランジ部5と第２フランジ部6との継ぎ目32は非直線形状に形成される。第１の実施の形態では、この継ぎ目32は直線で構成されたＶ字凹凸の連続形状となっている（図５参照）が、封印シール8の切断を困難なものとするため、複数の凹凸の繰り返しからなる形状であれば、継ぎ目32は上述の直線で構成されたＶ字凹凸の連続形状に限られるものではない。
【００６３】
そこで、第５の実施の形態としては、継ぎ目32は、直線で構成された矩形の凹凸の連続形状としてもよい（図１３（ａ）参照）。また、曲線で構成されたＵ字凹凸の連続形状としてもよい（図１３（ｂ）参照）。また、形状、大きさの異なる矩形の凹凸が、異なる間隔で連続する形状としてもよい（図１３（ｃ）参照）。また、Ｖ字、矩形、Ｕ字等の凹凸が組み合わされて連続する形状としてもよい（図１３（ｄ）参照）。また、他の様々な凹凸形状としてもよい。
（総括）
上述のように、本実施の形態では、継ぎ目32が第１の実施の形態と異なるが、他の構成等は同一であり、上述した第１の実施の形態と同一の作用効果を奏する。
【００６４】
（６）第６の実施の形態
本発明の第６の実施の形態では、後述するように、ベース部材2とカバー部材3とが組み合わされてシール貼付平面31が形成される。すなわち、ベース部材2又はカバー部材3のいずれか一方が、上述の第１部材81に該当し、他方が、上述の第２部材82に該当するものである。ここでは、ベース部材2が第１部材81に該当するとともに、カバー部材3が第２部材82に該当するものとする。
また、本発明の第６の実施の形態は、ベース部材2及びカバー部材3の構造が、第１の実施の形態と相違し、他については第１の実施の形態と同一である。この相違点について具体的に説明する。
【００６５】
（図面の説明）
図１４は、本発明の第６の実施の形態であって、ベース部材2とカバー部材3とを組み合わせる前の状態を示した斜視図（ａ）、及び、ベース部材2とカバー部材3とを組み合わせた状態を示した斜視図（ｂ）である。図１５は、本発明の第６の実施の形態の変形例であって、ベース部材2とカバー部材3とを組み合わせる前の状態を示した斜視図（ａ）、及び、ベース部材2とカバー部材3とを組み合わせた状態を示した斜視図（ｂ）である。
（ベース部材2、カバー部材3）
ベース部材2は、図１４（ａ）に示すように、その外周縁に第１嵌合部71が設けられる。具体的には、ベース部材2には、ベース部材2の長辺側の外周縁に第１嵌合部71が設けられる。ここでは、この第１嵌合部71は、ベース部材2の外周縁を非直線形状としたものである。
【００６６】
また、カバー部材3は、図１４（ａ）に示すように、その外周縁に、ベース部材2の第１嵌合部71と嵌合する第２嵌合部72が設けられている。この第２嵌合部72は、カバー部材3とベース部材2とを組み合わせた際に、第１嵌合部71と嵌合する。
そして、第１嵌合部71と第２嵌合部72とを嵌合させた際には、第１嵌合部71と第２嵌合部72とにまたがったシール貼付平面31が形成される。すなわち、ベース部材2とカバー部材3とにまたがったシール貼付平面31が形成される（図１４（ｂ）参照）。
（封印シール8の貼付）
そして、ベース部材2とカバー部材3とを組み合わせた後、シール貼付平面31に、ベース部材2とカバー部材3とにまたがって継ぎ目32を覆うように封印シール8が貼られる（図１４（ｂ）参照）。
【００６７】
（総括）
本実施の形態に係る基板ケース1では、継ぎ目32に沿っての封印シール8の切断を難しくさせ、かつ、封印シール8が切断された場合の切断跡の視認性を向上させることができ、これによりゴト行為防止を図ることが可能である。
つまり、本実施の形態に係る基板ケース1では、第１嵌合部71と第２嵌合部72とが嵌合し、ベース部材2とカバー部材3とにまたがったシール貼付平面31を形成しており、このシール貼付平面31におけるベース部材2とカバー部材3との継ぎ目32は非直線形状となっているため、封印シール8はこの非直線形状の継ぎ目32に沿って切断しなければならず、封印シール8の切断が難しくなっている。
【００６８】
また、継ぎ目32が直線形状とされている場合、カッターナイフ等で上手に封印シール8を切断した際には、一見して、不正に切断されたということが分かりにくいが、継ぎ目32を非直線形状とすると、封印シール8の切断が困難であることから切断ミスをする場合もあり、切断跡が残ることとなる。したがって、不正開放がされた場合の視認性が向上することとなる。
さらに、上述のように、本実施の形態では、継ぎ目32に沿っての封印シール8の切断が難しく、かつ、封印シール8が不正に開放された場合にその旨を容易に確認できることから、いわゆるゴト師の、このような基板ケース1に対して、封印シール8の不正開放等のゴト行為を行う意欲を減退させることとなり、ひいては、ゴト行為がされづらくなる。
【００６９】
（変形例）
第６の実施の形態の変形例として、カバー部材3には、その外周縁からベース部材2側に突出する第２嵌合部72を設け、ベース部材2には、第２嵌合部72と対応する位置に、第２嵌合部72を収納する凹部を形成した第１嵌合部72を設けることもできる（図１５（ａ）参照）。
そして、第１嵌合部71の凹部に第２嵌合部72が収納され、ベース部材2とカバー部材3とを組み合わせた際に、第１嵌合部71と第２嵌合部72とが一体になることで、ベース部材2とカバー部材3とにまたがるシール貼付平面31が形成される（図１５（ｂ）参照）。
【００７０】
また、ベース部材2に、その外周縁からカバー部材3側に突出する第１嵌合部71を設け、カバー部材3に、第１嵌合部71と対応する位置に、この第１嵌合部71を収納する凹部を形成した第２嵌合部72を設けることもできる。
また、第１嵌合部71及び第２嵌合部72は、特に図示しないが、カバー部材3及びベース部材2が組み合わされる際に、カバー部材3及びベース部材2の表面よりも窪むように形成してもよい。
また、特に図示しないが、このシール貼付平面31の外縁部分には、シール貼付平面31から盛り上がるように突出する段部22を設けてもよい。
【００７１】
また、封印シール8は、上述の、シール貼付平面31に貼付して剥がした際に、破断されるように形成されているものを貼付してもよい。また、シール貼付平面31に貼付して剥がした際に、継ぎ目32の形状と異なる形状に切断される脆弱な部分を有するように形成されているものを貼付してもよい。
また、継ぎ目32は、直線で構成された矩形の凹凸の連続形状としてもよい。また、曲線で構成されたＵ字凹凸の連続形状としてもよい。また、形状、大きさの異なる矩形の凹凸が、異なる間隔で連続する形状としてもよい。また、Ｖ字、矩形、Ｕ字等の凹凸が組み合わされて連続する形状としてもよい。また、他の様々な凹凸形状としてもよい。
【００７２】
これらの場合も、上述した第６の実施の形態と同一の作用効果を奏する。
（７）第７の実施の形態
本発明の第７の実施の形態では、基板ケース1がスロットマシン51の筐体52に固定された際に、この基板ケース1と筐体52とをまたがるシール貼付平面31が形成される。すなわち、基板ケース1又は筐体52のいずれか一方が、上述の第１部材81に該当し、他方が、上述の第２部材82に該当するものである。ここでは、基板ケース1が第１部材81に該当するとともに、筐体52が第２部材82に該当するものとする。
なお、ここでは、上述した第６の実施の形態に係る基板ケース1、スロットマシン51及び封印シール8を用いるものとして、説明する。
【００７３】
（図面の説明）
図１６は、本発明の第７の実施の形態であって、基板ケース1を筐体52に固定する前の状態を示した斜視図（ａ）、及び、基板ケース1を筐体52に固定した状態を示した斜視図（ｂ）である。図１７は、本発明の第７の実施の形態の変形例であって、基板ケース1を筐体52に固定する前の状態を示した斜視図（ａ）、及び、基板ケース1を筐体52に固定した状態を示した斜視図（ｂ）である。
（基板ケース1、筐体52）
図１６（ａ）に示すように、基板ケース1のベース部材2には、その長辺側の外周縁から外方に向けて突出するケース嵌合部75が設けられている。このケース嵌合部75は、ほぼ長方形状の板となっており、この長辺でベース部材2と連接している。
【００７４】
また、スロットマシン51は、正面側に開口部を有する箱型形状の筐体52を備えている。前記基板ケース1は、筐体52の内部であって、この筐体52の背面上部に固定される。
そして、図１６（ａ）に示すように、筐体52には、基板ケース1を固定した際の、前記ケース嵌合部75と対応する位置に、このケース嵌合部75を収納する筐体嵌合部76が設けられている。この筐体嵌合部76は、前記ケース嵌合部75の外形を象った凹みとなっており、これにより、ケース嵌合部75が筐体嵌合部76に収納される。
そして、基板ケース1を筐体52に固定する際には、基板ケース1と筐体52とが組み合わされ、ケース嵌合部75と筐体嵌合部76とをまたがったシール貼付平面31が形成される。すなわち、基板ケース1と筐体52とをまたがったシール貼付平面31が形成される（図１６（ｂ）参照）。
【００７５】
なお、基板ケース1は、上述のように筐体52の背面に直接固定することもできるが、筐体52に設けられ、かつ、この筐体52の一部とされる別部材に固定することもできる。
（封印シール8の貼付）
そして、基板ケース1を筐体52に固定した後、シール貼付平面31に、基板ケース1と筐体52とにまたがって継ぎ目32を覆うように封印シール8が貼られる（図１６（ｂ）参照）。
（総括）
本実施の形態では、継ぎ目32に沿っての封印シール8の切断を難しくさせ、かつ、封印シール8が切断された場合の切断跡の視認性を向上させることができ、これによりゴト行為防止を図ることが可能である。
【００７６】
つまり、本実施の形態に係る基板ケース1及び筐体52では、ケース嵌合部75が筐体嵌合部76に収納されて、基板ケース1と筐体52とにまたがったシール貼付平面31を形成しており、このシール貼付平面31における基板ケース1と筐体52との継ぎ目32は非直線形状となっているため、封印シール8はこの非直線形状の継ぎ目32に沿って切断しなければならず、封印シール8の切断が難しくなっている。
また、継ぎ目32が直線形状とされている場合、カッターナイフ等で上手に封印シール8を切断した際には、一見して、不正に切断されたということが分かりにくいが、継ぎ目32を非直線形状とすると、封印シール8の切断が困難であることから切断ミスをする場合もあり、切断跡が残ることとなる。したがって、不正開放がされた場合の視認性が向上することとなる。
【００７７】
さらに、上述のように、本実施の形態では、継ぎ目32に沿っての封印シール8の切断が難しく、かつ、封印シール8が不正に開放された場合にその旨を容易に確認できることから、いわゆるゴト師の、このような基板ケース1及び筐体52に対して、封印シール8の不正開放等のゴト行為を行う意欲を減退させることとなり、ひいては、ゴト行為がされづらくなる。
（変形例）
第７の実施の形態の変形例として、図１７（ａ）に示すように、筐体52には、基板ケース1を筐体52に固定した際の、基板ケース1の外周縁と対応する位置から、鉛直に突出する筐体嵌合部76を設けるとともに、基板ケース1には、前記筐体嵌合部76と対応する位置に、この筐体嵌合部76を収納するケース嵌合部75を設けることもできる。これにより、ケース嵌合部75に筐体嵌合部76が収納され、基板ケース1を筐体52に固定した際に、基板ケース1と筐体52とが組み合わされて、ケース嵌合部75と筐体嵌合部76とが一体になることで、基板ケース1と筐体52とにまたがるシール貼付平面31が形成される（図１７（ｂ）参照）。
【００７８】
また、ケース嵌合部75及び筐体嵌合部76は、特に図示しないが、基板ケース1が筐体52に固定される際に、基板ケース1及び筐体52の表面よりも窪むように形成してもよい。
また、このシール貼付平面31の外縁部分には、シール貼付平面31から盛り上がるように突出する段部22を設けてもよい。
また、封印シール8は、上述の、シール貼付平面31に貼付して剥がした際に、破断されるように形成されているものを貼付してもよい。また、シール貼付平面31に貼付して剥がした際に、継ぎ目32の形状と異なる形状に切断される脆弱な部分を有するように形成されているものを貼付してもよい。
【００７９】
また、継ぎ目32は、直線で構成された矩形の凹凸の連続形状としてもよい。また、曲線で構成されたＵ字凹凸の連続形状としてもよい。また、形状、大きさの異なる矩形の凹凸が、異なる間隔で連続する形状としてもよい。また、Ｖ字、矩形、Ｕ字等の凹凸が組み合わされて連続する形状としてもよい。また、他の様々な凹凸形状としてもよい。
これらの場合も、上述した第７の実施の形態と同一の作用効果を奏する。
【図面の簡単な説明】
【００８０】
【図１】本発明の第１の実施の形態に係る基板ケースの斜視図である。
【図２】本発明の第１の実施の形態に係る基板ケースの正面図である。
【図３】本発明の第１の実施の形態に係る基板ケースの上面図である。
【図４】図２の基板ケースをＡ−Ａ断面で示した図である。
【図５】本発明の第１の実施の形態に係る第１フランジ部に第２フランジ部を収納する前の状態（ａ）、第１フランジ部に第２フランジ部を収納した状態（ｂ）、封印シールを貼付した状態（ｃ）を示した図である。
【図６】本発明の第１の実施の形態において、第１フランジ部に第２フランジ部を収納した状態を拡大して示した図である。
【図７】本発明の第１の実施の形態に係る封印シールが剥がされた状態を示した図である。
【図８】本発明の第１の実施の形態に係る基板ケースをスロットマシンに固定した状態を示した図である。
【図９】本発明の第２の実施の形態に係る基板ケースの正面図である。
【図１０】図９の基板ケースをＡ−Ａ断面で示した図である。
【図１１】本発明の第３の実施の形態に係るシール貼付平面に貼付された封印シールが剥がされた状態を示した図である。
【図１２】本発明の第４の実施の形態に係るシール貼付平面に封印シールを貼付した状態（ａ）及び貼付された封印シールが剥がされた状態（ｂ）を示した図である。
【図１３】本発明の第５の実施の形態に係る継ぎ目の各形状（ａ）、（ｂ）、（ｃ）、（ｄ）を示した図である。
【図１４】本発明の第６の実施の形態であって、ベース部材とカバー部材とを組み合わせる前の状態を示した斜視図（ａ）、及び、ベース部材とカバー部材とを組み合わせた状態を示した斜視図（ｂ）である。
【図１５】本発明の第６の実施の形態の変形例であって、ベース部材とカバー部材とを組み合わせる前の状態を示した斜視図（ａ）、及び、ベース部材とカバー部材とを組み合わせた状態を示した斜視図（ｂ）である。
【図１６】本発明の第７の実施の形態であって、基板ケースを筐体に固定する前の状態を示した斜視図（ａ）、及び、基板ケースを筐体に固定した状態を示した斜視図（ｂ）である。
【図１７】は、本発明の第７の実施の形態の変形例であって、基板ケースを筐体に固定する前の状態を示した斜視図（ａ）、及び、基板ケースを筐体に固定した状態を示した斜視図（ｂ）である。
【符号の説明】
【００８１】
1  基板ケース              2  ベース部材
3  カバー部材              5  第１フランジ部
6  第２フランジ部          7  基板
8  封印シール              9  天板
10  底板
11  基板用ネジ            12  第１ネジ止め部
13  基板貫通孔            14  第２ネジ止め部
21  凹部                  22  段部
31  シール貼付平面        32  継ぎ目
51  スロットマシン        52  筐体
71  第１嵌合部            72  第２嵌合部
75  ケース嵌合部          76  筐体嵌合部
81  第１部材              82  第２部材
【図１】
2006087807.tif 000003
【図２】
2006087807.tif 000004
【図３】
2006087807.tif 000005
【図４】
2006087807.tif 000006
【図５】
2006087807.tif 000007
【図６】
2006087807.tif 000008
【図７】
2006087807.tif 000009
【図８】
2006087807.tif 000010
【図９】
2006087807.tif 000011
【図１０】
2006087807.tif 000012
【図１１】
2006087807.tif 000013
【図１２】
2006087807.tif 000014
【図１３】
2006087807.tif 000015
【図１４】
2006087807.tif 000016
【図１５】
2006087807.tif 000017
【図１６】
2006087807.tif 000018
【図１７】
2006087807.tif 000019